(57)【特許請求の範囲】
【請求項１】
原稿の画像を示す画像データを取得する取得部と、
前記画像データに基づき、前記原稿に印されているマーカー箇所を検出するマーカー検出部と、
前記マーカー検出部による検出対象となる原稿の頁を受け付ける受付部と、
前記画像データを解析して、前記原稿における前記マーカー箇所のテキストを抽出するテキスト抽出部と、
前記画像データ及び前記テキストを送信する送信部と、
前記受付部が受け付けた前記マーカー検出部の検出対象となる原稿の頁の原稿について前記マーカー検出部により前記マーカー箇所が検出されなかった場合に、マーカーが印されていない旨を報知する報知部と、を備える画像処理装置。
【請求項２】
前記受付部は、１頁目の原稿及び全頁の原稿のいずれかを、前記マーカー検出部による検出対象として選択的に受け付ける、請求項１に記載の画像処理装置。
【請求項３】
前記送信部は、前記受付部により前記マーカー検出部の検出対象として全頁の原稿を受け付け、前記マーカー検出部により全頁の原稿の少なくとも１つに前記マーカー箇所が検出された場合に、前記マーカー箇所が印されている原稿を示す画像データを該原稿における該マーカー箇所のテキストと共に送信する、請求項２に記載の画像処理装置。
【請求項４】
前記受付部は、１頁目の原稿を送信するか否かの指定を受け付ける、請求項２又は請求項３に記載の画像処理装置。
【請求項５】
前記送信部は、前記受付部が前記マーカー検出部の検出対象として１頁目の原稿を受け付けると共に１頁目の原稿を送信することを受け付けた場合に、全頁の原稿を示すそれぞれの画像データを前記１頁目の原稿における前記マーカー箇所のテキストと共に送信する、請求項４に記載の画像処理装置。
【請求項６】
前記送信部は、前記受付部が前記マーカー検出部の検出対象として１頁目の原稿を受け付けると共に１頁目の原稿を送信しないことを受け付けた場合に、２頁目以降の原稿を示す画像データを前記１頁目の原稿における前記マーカー箇所のテキストと共に送信する、請求項４に記載の画像処理装置。
【請求項７】
前記送信部は、前記受付部が前記マーカー検出部の検出対象として全頁の原稿の中から一部の原稿の頁を受け付け、該受け付けた頁の原稿を示す画像データを該受け付けた頁の原稿における該マーカー箇所のテキストと共に送信する、請求項１に記載の画像処理装置。
【請求項８】
前記マーカー検出部は、前記画像データにおいてマーキングされた箇所のうち予め定められた色によりマーキングされている箇所を前記マーカー箇所として検出する、請求項１乃至請求項７のいずれか１項に記載の画像処理装置。
【請求項９】
前記報知部は、前記受付部が前記マーカー検出部の検出対象として１頁目の原稿を受け付けた場合に、前記マーカー検出部により１頁目の原稿に印されている前記マーカー箇所が検出されなかったときに、マーカーが印されていない旨を報知する、請求項１乃至請求項８のいずれか１項に記載の画像処理装置。
【発明の詳細な説明】
【技術分野】
【０００１】
本発明は、画像データから原稿のテキストを抽出して、原稿の画像データをそのテキストと共に送信する技術に関する。
【背景技術】
【０００２】
特許文献１では、原稿を読み取って、この原稿に印されているマーカーを検出し、このマーカーにより囲まれた該原稿の領域を認識して、この領域の内側を印刷したり、あるいは該領域の外側を印刷したりしている。
【先行技術文献】
【特許文献】
【０００３】
【特許文献１】特開２００５−１６７８７５号公報
【発明の概要】
【発明が解決しようとする課題】
【０００４】
ところで、上記特許文献１のようなマーカーにより囲まれた原稿の領域を認識する技術の別の用途として、その認識した領域に対してＯＣＲ（Optical Character Recognition）処理を施し、この領域のテキストを抽出することが考えられる。これにより、例えば原稿の画像データをその領域のテキストと共に保存したり送信したりすることができ、この後の原稿の処理が容易となる。
【０００５】
また、マーカー箇所のテキストを抽出する際に、このマーカーが印された原稿の頁を指定できるのが望ましい。例えば、複数の原稿のうちの１頁目に宛先などが記載されている場合に、この１頁目の原稿の画像データが必要でなく、１頁目の原稿に記載されている宛先（テキスト）のみが必要になることがあるので、１頁目の原稿にマーカーを印して、１頁目を指定することができれば、１頁目の原稿の宛先（テキスト）を確実に抽出して利用することが可能となり、利便性が向上する。
【０００６】
更に、指定された頁の原稿にマーカーが印されていないときに、これを警告するのがより望ましい。これにより、マーカー箇所のテキストを抽出することができないまま、原稿の画像データだけを保存したり送信したりすることが防止される。
【０００７】
本発明は、上記の事情に鑑みなされたものであり、マーカーが印された原稿の頁を指定することができ、この指定された頁の原稿にマーカーが設定されていないときに、これを警告することが可能な画像処理装置を提供することを目的とする。
【課題を解決するための手段】
【０００８】
本発明の一局面にかかる画像処理装置は、原稿の画像を示す画像データを取得する取得部と、前記画像データに基づき、前記原稿に印されているマーカー箇所を検出するマーカー検出部と、前記マーカー検出部による検出対象となる原稿の頁を受け付ける受付部と、前記画像データを解析して、前記原稿における前記マーカー箇所のテキストを抽出するテキスト抽出部と、前記画像データ及び前記テキストを送信する送信部と、前記受付部が受け付けた前記マーカー検出部の検出対象となる原稿の頁の原稿について前記マーカー検出部により前記マーカー箇所が検出されなかった場合に、マーカーが印されていない旨を報知する報知部と、を備える画像処理装置である。
【発明の効果】
【０００９】
本発明によれば、マーカーが印された原稿の頁を指定することができ、指定された頁の原稿にマーカーが設定されていないときに、これを警告することができる。
【図面の簡単な説明】
【００１０】
【図１】本発明の一実施形態にかかる画像処理装置が適用された画像形成装置を示す斜視図である。
【図２】本発明の一実施形態にかかる画像処理装置が適用された画像形成装置の内部構成を示すブロック図である。
【図３】本実施形態の画像処理装置による原稿の画像を処理して送信するための手順を示す説明図である。
【図４】本実施形態の画像処理装置による原稿の画像を処理して送信するための他の手順を示す説明図である。
【図５】本実施形態の画像処理装置による原稿の画像を処理して送信するための別の手順を示す説明図である。
【図６Ａ】本実施形態の画像処理装置による原稿の画像を処理して送信するための制御過程を示すフローチャートである。
【図６Ｂ】図６Ａに引き続く制御過程を示すフローチャートである。
【図７】画像形成装置の操作部及び表示部を示す平面図である。
【図８】（ａ）は画像形成装置の表示部の画面に表示される１頁目キー及び全頁キーを示す図であり、（ｂ）は画像形成装置の表示部の画面に表示されるＯＫキー及びＮＧキーを示す図である。
【図９】（ａ）及び（ｂ）は、画像形成装置の表示部の画面に表示されるメッセージを示す図である。
【発明を実施するための形態】
【００１１】
以下、本発明の一実施形態にかかる画像処理装置について図面を参照して説明する。
【００１２】
図１は、本発明の一実施形態にかかる画像処理装置が適用された画像形成装置を示す斜視図である。図２は、画像形成装置の内部構成を示すブロック図である。画像形成装置１０は、例えば、コピー機能、プリンター機能、スキャナー機能、及びファクシミリ機能などの複数の機能を兼ね備えた複合機である。画像形成装置１０は、装置本体１１、装置本体１１の上方に配置された画像読取部１１０、及び画像読取部１１０と装置本体１１の間に設けられた連結部１２から概略構成される。
【００１３】
装置本体１１には、画像形成部１２０、給紙部１３、及び排出トレイ１４などが設けられている。
【００１４】
画像形成装置１０が画像読取動作を行う場合、後述する動作制御部１０２による制御のもと、画像読取部１１０（取得部）が原稿載置台１１１に載置された原稿を読み取り、原稿の画像を示す画像データを生成する。この画像データは、記憶部１６０に記憶（保存）される。なお、画像形成装置１０は、画像読取部１１０が原稿束を読み取って画像データを取得するのではなく、通信部１７０がＰＣ（Personal Computer）などの他の情報処理装置から画像データを受信することで原稿を示す画像データを取得してもよい。
【００１５】
画像形成装置１０が画像形成動作を行う場合は、記憶部１６０に記憶された画像データに基づいて、動作制御部１０２による制御のもと、画像形成部１２０が給紙部１３から給紙される記録紙にトナー像を形成する。この後、記録紙上に形成されたトナー像は、不図示の定着部により熱定着される。定着処理の完了した画像形成済みの記録紙は、排出トレイ１４に排出される。
【００１６】
また、装置本体１１の前面には、操作部１５０及び表示部１３０が配置されている。表示部１３０は、液晶ディスプレイ（ＬＣＤ：Liquid Crystal Display）や有機ＥＬ（ＯＬＥＤ：Organic Light-Emitting Diode）ディスプレイを備えている。
【００１７】
表示部１３０の画面には、タッチパネル１４０が配置されている。タッチパネル１４０は、所謂抵抗膜方式や静電容量方式などのタッチパネルであって、タッチパネル１４０に対するユーザーの指などの接触（タッチ）をその接触位置とともに検知する。
【００１８】
操作部１５０は、例えば、メニューを呼び出すメニューキー、メニューを構成するＧＵＩのフォーカスを移動させる矢印キー、メニューを構成するＧＵＩに対して確定操作を行う決定キー、スタートキーなどを備えている。
【００１９】
記憶部１６０は、ＨＤＤなどの大容量の記憶装置である。
【００２０】
通信部１７０は、無線ＬＡＮボードなどの通信モジュールから構成されるネットワークインターフェイスである。
【００２１】
画像形成装置１０は、更に、制御ユニット１００を備えている。制御ユニット１００は、ＣＰＵ（Central Processing Unit）、ＲＡＭ(Random Access Memory）、及びＲＯＭ（Read Only Memory）などから構成される。制御ユニット１００は、上記のＲＯＭまたは記憶部１６０に記憶されたプログラムが上記のＣＰＵで実行されることにより、制御部１０１、動作制御部１０２、操作受付部１０３、通信制御部１０４、マーカー検出部１０５、ＯＣＲ処理部１０６、及び報知部１０７として機能する。なお、制御ユニット１００の上記の各構成は、プログラムに基づく動作によらず、それぞれハード回路により構成されてもよい。
【００２２】
制御部１０１は、画像形成装置１０の全体的な動作制御を司る。
【００２３】
操作受付部１０３は、タッチパネル１４０から出力される検知信号に基づき、タッチパネル１４０に対するユーザー操作を受け付ける機能を有する。また、操作受付部１０３は、操作部１５０のハードキーに対するユーザー操作を受け付ける機能を有する。
【００２４】
通信制御部１０４（送信部）は、通信部１７０による通信動作を制御する機能を有する。通信部１７０は、通信制御部１０４による制御のもと、ＰＣ（Personal Computer）などとの間でデータを送受する。
【００２５】
動作制御部１０２は、画像読取部１１０による画像読取動作や表示部１３０による表示動作などを制御する機能を有する。
【００２６】
マーカー検出部１０５は、画像読取部１１０が取得した原稿の画像を示す画像データを解析して、原稿における予め設定された色（規定色とも称す）のマーカーによりマーキングされたマーカー箇所を検出する機能を有する。
【００２７】
ＯＣＲ処理部１０６（テキスト抽出部）は、マーカー検出部１０５が検出したマーカー箇所に含まれるテキストを抽出する機能を有する。
【００２８】
報知部１０７は、表示部１３０にメッセージ等を表示させることで、ユーザーに情報を報知する機能を有する。
【００２９】
ここで、本実施形態では、複数の原稿を読み取って、これらの原稿の画像を送信している。また、ユーザーにより設定された任意の条件の下で、原稿に印されている規定色のマーカーを検出して、このマーカー箇所のテキストを認識して抽出し（ゾーンＯＣＲとも称す）、原稿の画像をそのテキストと共に送信している。
【００３０】
上記任意の条件としては、１頁目の原稿及び全頁の原稿のいずれがマーカーの検出対象であるかという条件、及び１頁目の原稿を送信するか否かという条件がある。
【００３１】
例えば、図３に示すように全頁の原稿がマーカーの検出対象として設定された場合は、全頁の原稿のうちのマーカーが印されている少なくとも１つの原稿が読み取られて、この少なくとも１つの原稿の画像が取得されると共に、この少なくとも１つの原稿のマーカー箇所のテキストが抽出されて、この少なくとも１つの原稿の画像が該少なくとも１つの原稿のテキストと共に送信される。従って、複数の原稿のうちのマーカーが印されている原稿のみについて、該原稿の画像及びマーカー箇所のテキストが送信されることになる。
【００３２】
また、図４に示すように１頁目の原稿がマーカーの検出対象として設定され、かつ１頁目の原稿を送信することが設定された場合は、全頁の原稿が読み取られて、全頁の原稿の画像が取得されると共に、１頁目の原稿のマーカー箇所のテキストが抽出され、全頁の原稿の画像が１頁目の原稿のマーカー箇所のテキストと共に送信される。例えば、１頁目の原稿に記載されているファイル名や目録（テキスト）が必要なときには、ファイル名や目録にマーカーを付しておけば、ファイル名や目録が抽出されて送信される。
【００３３】
更に、図５に示すように１頁目の原稿がマーカーの検出対象として設定され、かつ１頁目の原稿を送信しないことが設定された場合は、全頁の原稿が読み取られて、全頁の原稿の画像が取得されると共に、１頁目の原稿のマーカー箇所のテキストが抽出され、２頁目以降の原稿の画像が１頁目の原稿のテキストと共に送信される。例えば、１頁目の原稿に宛先や題目が記載されており、１頁目の原稿の画像データが必要でなく、１頁目の原稿の宛先や題目（テキスト）のみが必要なときには、宛先や題目にマーカーを付しておけば、宛先や題目のテキストが抽出されて送信される。特に、契約書などについては、マーカーを印すことができないので、表紙となる１頁目の原稿を契約書に追加して、この表紙に宛先や題目を記載し、この宛先や題目にマーカーを付しておけば、宛先や題目（テキスト）が抽出されて送信されることとなり、宛先や題目が利用し易くなる。
【００３４】
また、１頁目の原稿及び全頁の原稿のいずれかがマーカーの検出対象として設定されながらも、検出対象となる頁の原稿にマーカーが設定されていない場合は、これを警告している。例えば、マーカーが印されていなかったり、マーカーの色が規定色とは異なったりしていた場合に、これを警告している。これにより、規定色のマーカーが印された原稿の処理のミスを未然に防止することができる。
【００３５】
次に、上記の構成を備える画像形成装置１０の動作について説明する。図６Ａ、図６Ｂは、画像形成装置１０により原稿を読み取って、原稿の画像からテキストを抽出し、原稿の画像及びテキストを送信するための制御過程を示すフローチャートである。
【００３６】
まず、画像形成装置１０の表示部１３０の画面には、図７に示すようにそれぞれの機能に対応付けられた複数のタッチキー２１ａ〜２１ｈ等が表示されているものとする。この状態で、ユーザーが原稿の送信に対応するタッチキー２１ｈをタッチ操作すると、タッチパネル１４０によりタッチキー２１ｈに対するタッチ操作が検出されて、このタッチ操作が操作受付部１０３で受け付けられ、制御部１０１が、原稿を送信するための機能（アプリケーションプログラム）を起動させる（ステップＳ１０１）。
【００３７】
引き続いて、ユーザーは、操作部１５０を操作して、原稿の送信相手を示す宛先情報、例えば電話番号、メールアドレスなどを入力する（ステップＳ１０２）。このとき、電話番号、メールアドレスなどの入力画面を表示部１３０に表示して、ユーザーが入力画面に対して入力操作を行うようにしてもよい。
【００３８】
更に、ユーザーは、複数の原稿を画像読取部１１０にセットして、操作部１５０のスタートキーを操作する。制御部１０１は、そのスタートキーの操作が操作受付部１０３で受け付けられると（ステップＳ１０３）、図８（ａ）に示すようにマーカー検出部１０５による検出対象として１頁目の原稿及び全頁の原稿のいずれかを指定するための１頁目キー２２ａ及び全頁キー２２ｂを表示する（ステップＳ１０４）。
【００３９】
例えば、ユーザーが全頁キー２２ｂをタッチ操作すると、タッチパネル１４０により全頁キー２２ｂに対するタッチ操作が検出されて、このタッチ操作が操作受付部１０３で受け付けられる（ステップＳ１０５で「全頁キー」）。このとき、動作制御部１０２が画像読取部１１０を起動して、画像読取部１１０が上記複数の原稿を順次読み取り、全頁の原稿の画像を示す各画像データが記憶部１６０に逐次記憶される（ステップＳ１０６）。
【００４０】
また、マーカー検出部１０５は、記憶部１６０内の各画像データを順次解析して、原稿に印されている規定色のマーカーを検出し（ステップＳ１０７で「Ｙｅｓ」）、規定色のマーカーを検出する度に、原稿における規定色のマーカー箇所をＯＣＲ処理部１０６に指示する。ＯＣＲ処理部１０６は、規定色のマーカー付の原稿を示す画像データを解析して、規定色のマーカー箇所に対してＯＣＲ処理を施し、規定色のマーカー箇所のテキストを抽出し、このテキストを示すテキストデータを生成して記憶部１６０に記憶する（ステップＳ１０８）。
【００４１】
そして、通信制御部１０４は、ステップＳ１０２で入力された宛先情報に基づき、規定色のマーカー付の原稿の全てについて、原稿を示す画像データを、該画像データから抽出された規定色のマーカー箇所のテキストを示すテキストデータと共に送信相手に送信する（ステップＳ１０９）。
【００４２】
制御部１０１は、規定色のマーカー付の原稿の全てについて画像データ及びテキストデータの送信が行われると、図６Ａ、図６Ｂの処理を終了する。
【００４３】
また、マーカー検出部１０５により規定色のマーカーが検出されず（ステップＳ１０７で「Ｎｏ」）、全頁の原稿の画像のいずれにも規定色のマーカーが印されていなかった場合、報知部１０７は、各ステップＳ１０８、Ｓ１０９の処理を行わせることなく、例えば図９（ａ）に示すように全頁の原稿の画像のいずれにも規定色のマーカーが印されていない旨のメッセージを表示部１０３に表示して（ステップＳ１１０）、図６Ａ、図６Ｂの処理を終了する。このため、ユーザーは、そのメッセージを見て、全頁の原稿のいずれにも規定色のマーカーが印されていないために原稿が送信されなかったという事態を知ることができる。
【００４４】
すなわち、マーカー検出部１０５による検出対象として全頁の原稿を指定する全頁キー２２ｂがタッチ操作されて選択された場合は、図３に示すように複数の原稿のうちのマーカーが印されている原稿のみについて、該原稿の画像及びマーカー箇所のテキストが送信されることとなる。
【００４５】
また、規定色のマーカーが検出されなかった場合は、全頁の原稿の画像のいずれにも規定色のマーカーが印されていない旨のメッセージが表示部１０３に表示される。
【００４６】
次に、ユーザーが１頁目キー２２ａをタッチ操作すると、タッチパネル１４０により１頁目キー２２ａに対するタッチ操作が検出されて、このタッチ操作が操作受付部１０３で受け付けられる（ステップＳ１０５で「１頁目キー」）。このとき、制御部１０１は、図８（ｂ）に示すように１頁目の原稿を送信するか否かを指定するためのＯＫキー２３ａ及びＮＧキー２３ｂを表示部１３０の画面に表示する（ステップＳ１１１）。
【００４７】
例えば、ユーザーがＯＫキー２３ａをタッチ操作すると、タッチパネル１４０によりＯＫキー２３ａに対するタッチ操作が検出されて、このタッチ操作が操作受付部１０３で受け付けられる（ステップＳ１１２で「ＯＫ」）。これに応答して、動作制御部１０２が画像読取部１１０を起動して、画像読取部１１０が上記複数の原稿を順次読み取り、全頁の原稿の画像を示す各画像データが記憶部１６０に逐次記憶される（ステップＳ１１３）。
【００４８】
また、マーカー検出部１０５は、記憶部１６０内の１頁目の原稿の画像を示す画像データのみを解析して、１頁目の原稿に印されている規定色のマーカーを検出すると（ステップＳ１１４で「Ｙｅｓ」）、１頁目の原稿における規定色のマーカー箇所をＯＣＲ処理部１０６に指示する。ＯＣＲ処理部１０６は、１頁目の原稿の画像を示す画像データを解析して、規定色のマーカー箇所に対してＯＣＲ処理を施し、規定色のマーカー箇所のテキストを抽出し、このテキストを示すテキストデータを生成して記憶部１６０に記憶する（ステップＳ１１５）。
【００４９】
通信制御部１０４は、ステップＳ１０２で入力された宛先情報に基づき、全頁の原稿を示す各画像データを、１頁目の原稿の画像データから抽出された規定色のマーカー箇所のテキストを示すテキストデータと共に送信相手に送信する（ステップＳ１１６）。そして、図６Ａ、図６Ｂの処理を終了する。
【００５０】
また、マーカー検出部１０５により規定色のマーカーが検出されず（ステップＳ１１４で「Ｎｏ」）、１頁目の原稿の画像に規定色のマーカーが印されていなかった場合、報知部１０７は、各ステップＳ１１５、Ｓ１１６の処理を行わせることなく、例えば図９（ｂ）に示すような１頁目の原稿の画像に規定色のマーカーが印されていない旨のメッセージを表示部１０３に表示して（ステップＳ１１７）、図６Ａ、図６Ｂの処理を終了する。このため、ユーザーは、そのメッセージを見て、１頁目の原稿の画像にマーカーが印されていないために原稿が送信されなかったという事態を知ることができる。
【００５１】
すなわち、マーカー検出部１０５による検出対象として１頁目の原稿を指定するための１頁目キー２２ａがタッチ操作され、引き続いて１頁目の原稿を送信することを指定するためのＯＫキー２３ａがタッチ操作された場合は、図４に示すように全頁の原稿の画像が１頁目の原稿のマーカー箇所のテキストと共に送信される。このため、１頁目の原稿に記載されているファイル名や目録にマーカーを付しておけば、ファイル名や目録などのテキストが抽出されて送信されることとなる。
【００５２】
また、規定色のマーカーが検出されなかった場合は、１頁目の原稿の画像に規定色のマーカーが印されていない旨のメッセージが表示部１０３に表示される。
【００５３】
一方、ユーザーがＮＧキー２３ｂをタッチ操作すると、タッチパネル１４０によりＮＧキー２３ｂに対するタッチ操作が検出されて、このタッチ操作が操作受付部１０３で受け付けられる（ステップＳ１１２で「ＮＧ」）。これに応答して画像読取部１１０が上記複数の原稿を順次読み取り、全頁の原稿の画像を示す各画像データが記憶部１６０に逐次記憶される（ステップＳ１１８）。
【００５４】
また、マーカー検出部１０５は、記憶部１６０内の１頁目の原稿の画像を示す画像データのみを解析して、１頁目の原稿に印されている規定色のマーカーを検出すると（ステップＳ１１９で「Ｙｅｓ」）、１頁目の原稿における規定色のマーカー箇所をＯＣＲ処理部１０６に指示する。ＯＣＲ処理部１０６は、１頁目の原稿の画像を示す画像データを解析して、規定色のマーカー箇所に対してＯＣＲ処理を施し、規定色のマーカー箇所のテキストを抽出し、このテキストを示すテキストデータを生成して記憶部１６０に記憶する（ステップＳ１２０）。
【００５５】
通信制御部１０４は、ステップＳ１０２で入力された宛先情報に基づき、２頁目以降の原稿を示す各画像データを、１頁目の原稿の画像データから抽出された規定色のマーカー箇所のテキストを示すテキストデータと共に送信相手に送信する（ステップＳ１２１）。そして、図６Ａ、図６Ｂの処理を終了する。
【００５６】
また、マーカー検出部１０５により規定色のマーカーが検出されず（ステップＳ１１９で「Ｎｏ」）、１頁目の原稿の画像に規定色のマーカーが印されていなかった場合、報知部１０７は、各ステップＳ１２０、Ｓ１２１の処理を行うことなく、図９（ｂ）に示すようなメッセージを表示部１０３に表示して（ステップＳ１１７）、図６Ａ、図６Ｂの処理を終了する。このため、ユーザーは、１頁目の原稿の画像にマーカーが印されていないために原稿が送信されなかったという事態を知ることができる。
【００５７】
すなわち、マーカー検出部１０５による検出対象として１頁目の原稿を指定するための１頁目キー２２ａがタッチ操作され、引き続いて１頁目の原稿を送信しないことを指定するためのＮＧキー２３ｂがタッチ操作された場合は、図５に示すように２頁目以降の原稿の画像が１頁目の原稿のマーカー箇所のテキストと共に送信される。このため、表紙となる１頁目の原稿を契約書に追加して、この表紙に宛先や題目を記載し、この宛先や題目にマーカーを付しておけば、契約書の画像が宛先や題目（テキスト）と共に送信されることとなる。
【００５８】
また、規定色のマーカーが検出されなかった場合は、１頁目の原稿の画像に規定色のマーカーが印されていない旨のメッセージが表示部１０３に表示される。
【００５９】
なお、本発明は、上記の実施の形態の構成に限られず種々の変形が可能である。例えば、マーカーの各種の色見本を、表示部１３０の画面に表示し、これらの色見本のいずれかを、タッチパネル１４０を通じて選択して、この選択した色見本の色をマーカーの規定色として設定してもよい。
【００６０】
また、上記実施形態では、受付部１０３が１頁目の原稿及び全頁の原稿のいずれかを、マーカー検出部１０５による検出対象として選択的に受け付ける場合を説明したが、本発明は必ずしもこの場合に限定されない。受付部１０３は、マーカー検出部１０５の検出対象として全頁の原稿の中から一部の原稿の頁を受け付けてもよい。
【００６１】
この場合、マーカー検出部１０５は、受付部１０３が受け付けた頁の原稿からマーカー箇所を検出する。そして、ＯＣＲ処理部１０６は、マーカー検出部１０５が検出したマーカー箇所に含まれるテキストを抽出する。通信制御部１０４は、当該検出されたテキスト、すなわち受付部１０３が受け付けた頁の原稿におけるマーカー箇所のテキストを、受付部１０３が受け付けた頁の原稿を示す画像データと共に送信する。なお、マーカー検出部１０５が受付部１０３が受け付けた頁の原稿についてマーカー箇所の検出に失敗した場合、報知部１０７は、上記実施形態と同様にマーカーが印されていない旨を報知する。
【００６２】
また、上記実施形態では、マーカー検出部１０５による検出対象として１頁目の原稿が指定されながらも、マーカー検出部１０５により１頁目の原稿に印されている規定色のマーカーが検出されなかった場合に、警告のメッセージを表示して、画像データ及びテキストデータを送信することなく処理を終了しているが、警告のメッセージを表示した後に、１頁目の原稿を表示部１３０に表示してもよい。そして、ユーザーが１頁目の原稿を確認してスタートキーなどを操作したときに、画像データ及びテキストデータを送信するようにしても構わない。
【００６３】
また上記の実施形態では、マーカー検出部１０５が、予め定められた指定色のマーカーによりマーキングされた箇所をマーカー箇所として検出する場合を説明したが、本発明は必ずしもこの場合に限定されない。マーカー検出部１０５は、マーカーの色、マーカーの線種、およびマーカーの太さの少なくとも１つの要素に基づいて、マーカー箇所を検出してもよい。
【符号の説明】
【００６４】
１０    画像形成装置
１００  制御ユニット
１０１  制御部
１０２  動作制御部
１０３  操作受付部
１０４  通信制御部
１０５  マーカー検出部
１０６  ＯＣＲ処理部
１１０  画像読取部
１２０  画像形成部
１３０  表示部
１４０  タッチパネル
１５０  操作部
１６０  記憶部
１７０  通信部
【図１】
0006458764.tif 000002
【図２】
0006458764.tif 000003
【図３】
0006458764.tif 000004
【図４】
0006458764.tif 000005
【図５】
0006458764.tif 000006
【図６Ａ】
0006458764.tif 000007
【図６Ｂ】
0006458764.tif 000008
【図７】
0006458764.tif 000009
【図８】
0006458764.tif 000010
【図９】
0006458764.tif 000011